(57)【要約】【課題】ヒンジ機構を採用することなく着座姿勢と携行姿勢とに姿勢を変更することができ、且つ、畳んで容易に携行することができる座椅子を提供する。【解決手段】座面を有する座板と、背もたれ面を有して該座板に隙間なく重なり重なる背板とを具備させ、座板には、座面に背もたれ面を連結した着座姿勢に背板を保持する着座時保持部と、背板を座板に重ね合わせた携行姿勢に背板を保持する携行時保持部を設けると共に、背板には、着座時保持部と携行時保持部の両方に係合可能な係合部を設け、背板と座板には、携行姿勢でこれら背板と座板を貫通する手提げを形成する手提げ形成孔を夫々形成する。【選択図】図１
2010264102.tif 000002
【特許請求の範囲】
【請求項１】
座面を有する座板と、背もたれ面を有して該座板に隙間なく重なる背板とを備え、
前記座板には、前記座面に背もたれ面を連結した着座姿勢に前記背板を保持する着座時保持部と、前記背板を座板に重ね合わせた携行姿勢に前記背板を保持する携行時保持部が設けられると共に、前記背板には、前記着座時保持部と携行時保持部の両方に係合可能な係合部が設けられ、
前記背板と座板には、携行姿勢でこれら背板と座板とを貫通する手提げを形成する手提げ形成孔が夫々形成されている
ことを特徴とする座椅子。
【請求項２】
前記着座時保持部は、前記背板の背もたれ面と座板の座面とを鈍角とした状態で当該背板の係合部に嵌合する溝状又は貫通孔状に形成されていることを特徴とする請求項１に記載の座椅子。
【請求項３】
前記背板と座板とは、同一の幅と長さを有して形成されていることを特徴とする請求項１又は請求項２に記載の座椅子。
【請求項４】
前記背板は、前記座板と同一形状の板材の一部を切り欠いて係合部が形成されていることを特徴とする請求項１乃至請求項３のいずれかに記載の座椅子。
【請求項５】
前記携行時保持部は、前記座板の座面に突設されて形成されており、前記座板の手提げ形成孔は、前記座板の中心軸に対して前記携行時保持部と対称となる位置に当該携行時保持部を収容可能な大きさを有して形成されていることを特徴とする請求項１乃至請求項４のいずれかに記載の座椅子。
【発明の詳細な説明】
【技術分野】
【０００１】
本発明は、座椅子に関する。
【背景技術】
【０００２】
従来、座椅子は、座面を有する座部と、背もたれ面を有する背板部をヒンジ機構等により連結し、開き状態で着座可能とすると共に、閉じ状態で携行可能とする構成が知られている。
この種の座椅子は、着座した使用者が背もたれにもたれかかると、ヒンジ機構となる部分に荷重が集中することとなり、これによって、ヒンジ部が壊れてしまう虞があった。
【０００３】
かかる問題を解決すべく、特許文献１には、折り曲げ部を有して背もたれ部と座部とを有する上板と、一対の折り曲げ部を有して着座時に背もたれ面を支持する支持部を備える下板とを備える座椅子が開示されており、かかる構成によれば、着座姿勢で下板の支持部が垂直状に立ち上がって背もたれ面を背面側から支持するので、ヒンジ部となる上板の折り曲げ部に過度の荷重が作用することを防止できる。
【先行技術文献】
【特許文献】
【０００４】
【特許文献１】実開平６−２４５５５号公報
【発明の概要】
【発明が解決しようとする課題】
【０００５】
しかしながら、上記特許文献１に開示の構成においては、携行時に手提げ穴の外方側に上板の座部となる部分及び該座部の下方に位置することとなる下板の部分が折れ曲がる構成となっているため、手提げ穴を把持するのみではこれら外方に折られる部分を把持することができず、手提げ穴に手を通して持ち上げるとこれら外方に折られる部分が拡がってしまうこととなって携行が困難となるという問題があった。
【０００６】
そこで、本発明は、ヒンジ機構を採用することなく着座姿勢と携行姿勢とに姿勢を変更することができ、且つ、畳んで容易に携行することができる座椅子を提供することを目的とする。
【課題を解決するための手段】
【０００７】
上記課題解決のための具体的手段として、本願発明に係る座椅子は、
（１）座面を有する座板と、背もたれ面を有して該座板に隙間なく重なる背板とを備え、
前記座板には、前記座面に背もたれ面を連結した着座姿勢に前記背板を保持する着座時保持部と、前記背板を座板に重ね合わせた携行姿勢に前記背板を保持する携行時保持部が設けられると共に、前記背板には、前記着座時保持部と携行時保持部の両方に係合可能な係合部が設けられ、
前記背板と座板には、携行姿勢でこれら背板と座板とを貫通する手提げを形成する手提げ形成孔が夫々形成されていることを特徴としている。
【０００８】
これによれば、本願発明の座椅子は、座板と背板に分かれており、当該背板の係合部を座板の着座時保持部に係合させることにより着座姿勢を設定することができ、背板の係合部を座板の携行時保持部に係合させることにより携行姿勢に設定することができる。したがって、本願発明の座椅子は、座板と背板とが分解可能であって、これらを組み立てることにより着座姿勢と携行姿勢とに設定可能であり、着座姿勢と携行姿勢との間で背板と座板とを開閉させるヒンジ機構が不要となるのである。また、携行姿勢では、座板と背板とが重なり、さらにこれら両板に形成されている手提げ形成孔が連結されて手提げが形成されるため、当該手提げを把持することで両部材を一度に把持することができる。この結果、携行状態においては、背板と座板とは、係合部が携行時保持部に保持されると共に把持部によって背板と座板とが同時に把持されることとなり、２箇所でこれら両板が連結され、これら両板を一体化させた状態で携行することができるものとなるのである。
【０００９】
（２）また、前記着座時保持部は、前記背板の背もたれ面と座板の座面とを鈍角とした状態で当該背板の係合部に嵌合する溝状又は貫通孔状に形成されていることが好ましい。
これによれば、背板の係合部を座板の着座時保持部に嵌合するだけで、背もたれ面と座面との間の角度が鈍角に形成されることとなり、これによって、座面に着座する使用者が楽な姿勢で背もたれ面にもたれられる。
【００１０】
（３）また、前記背板と座板とは、同一の幅と長さを有して形成されていることが好ましい。
これによれば、携行姿勢に設定すると、座板と背板とが略全体に亘って重なり合うこととなり、携行が楽なものとなるばかりでなく、携行姿勢での座椅子の大きさをコンパクトにして収納スペースの削減を図ることができるものとなる。
【００１１】
かかる点に鑑みると、（４）前記背板は、前記座板と同一形状の板材の一部を切り欠いて係合部が形成されていることは好ましい。これによれば、携行姿勢では略同一形状の２枚の板が単に重なっている状態となり、収納時の著しい省スペース化が図られるのである。
【００１２】
（５）さらに、前記携行時保持部は、前記座板の座面に突設されて形成されており、前記座板の手提げ形成孔は、前記座板の中心軸に対して前記携行時保持部と対称となる位置に当該携行時保持部を収容可能な大きさを有して形成されていることが好ましい。
これによれば、複数の座椅子を重ねる場合でも、下方の座椅子の携行時保持部を当該座椅子の上方に位置することとなる座椅子の座板の手提げ形成孔に収容することで、これらの座椅子を隙間なく、また、左右のずれなく重ねることができる。
【発明の効果】
【００１３】
本発明の座椅子によれば、ヒンジ機構を採用することなく着座姿勢と携行姿勢とに姿勢を変更することができ、且つ、畳んで容易に携行することができる。
【図面の簡単な説明】
【００１４】
【図１】本発明の実施形態に係る座椅子を着座姿勢に組み立てる状態を示す斜視図である。
【図２】図１の実施形態に係る座椅子の携行姿勢を示す側面図である。
【図３】図１の実施形態に係る座椅子の座板の平面図である。
【図４】図１の実施形態に係る座椅子の背板の平面図である。
【図５】図１の実施形態に係る座椅子の着座姿勢の側断面図である。
【図６】図１の実施形態に係る座椅子を複数組収納している状態を示す側面図である。
【図７】本発明の他の実施形態に係る座椅子の座板の平面図である。
【図８】本発明の他の実施形態に係る座椅子の背板の平面図である。
【発明を実施するための形態】
【００１５】
以下、本発明の第１実施形態に係る座椅子を、図１〜図６を参照しながら説明する。
本発明の実施形態に係る座椅子は、一面が着座のための座面１ａとなる略矩形の座板１と、一面が背もたれ面２ａとなる略矩形の背板２との２枚の板材からなるもので、使用時には、図１に示すように、背板２を座板１に傾斜状態で連結して着座姿勢とでき、非使用時には、図２に示すように、座板１と背板２を重ね合わせて連結して携行姿勢に畳むことができるものである。これら２枚の板材は、図３〜図４中に示す長さｌ及び幅ｍが互いに同一に形成され、これによってこれら両板１、２を重ね合わせて携行姿勢とした場合に互いに隙間なく重なる。また、厚さは図５から分かるように、座板１の厚さｔ１の方が背板２の厚さｔ２よりも若干厚い。
なお、座板１の厚さｔ１と背板２の厚さｔ２とが同一の厚さを有する構成も採用可能である。
【００１６】
座板１には、背板２が該座板１に組み合わされた場合に該座板１と背板２を着座姿勢に保持する着座時保持部３と、背板２が該座板１に組み合わされた場合に該座板１と背板２を携行姿勢に保持する携行時保持部４が設けられている。
また、背板２には、座板１が該背板２に組み合わされた場合に座板１の着座時保持部３又は携行時保持部４の何れかに係合されて座板１と背板２を着座姿勢又は携行姿勢に保持する係合部５が設けられている。
すなわち、座板１の対向する一対の辺の一側の辺に沿って長尺の溝が形成され、該溝に背板２の係合部５が係脱可能に嵌入される構成とされており、該溝が着座時保持部３を構成している。該溝は、その横断面形状が対向する一対の内面と該内面を繋ぐ底面とからなる略コ字状のものであるが、図５から分かるように、その中心軸ｃが座板１の座面１ａの法線ｎに対して所定の角度αで傾斜された状態になるように形成されている。該溝に係合される背板２の係合部５は、背板２の対向する一対の辺の一側の辺の両端側が切り欠かれて、一側の辺自体が突起状に形成されて構成されたもので、突起状部の長さ、幅、厚み（背板２の厚みｔ２と同じ）は、該突起状部が着座時保持部３としての溝に丁度嵌入するものに形成されている。
【００１７】
座板１に設けられた携行時保持部４は、両端がＬ字状に折曲された金属等の剛性材料製の棒材を、その両端を座板１の座面１ａに植設して座板１の座面１ａとの間に所定間隔を形成して略垂直に突設し、着座時保持部３としての溝と座板１の辺の間に配されたもので、該棒材と座板１とにより形成される開口４ａに背板２の上記係合部５が挿通される構成とされている。すなわち、携行時保持部４の棒材は、当該開口４ａを上述の長さ、厚みを有する背板２の係合部５を収容可能な形状に形成されている。また、該棒材は、係合部５を開口４ａに嵌入し、係合部５の両側の肩部５ａが棒材に係合し、係合部５の先端縁を座板１の側縁と略同一面内に位置付ける位置に取り付けられており、背板２の係合部５を座板１の携行時保持部４に嵌入させると、座板１と背板２が丁度重なり合わさる寸法とされている。尚、背板２の係合部５の両側の肩部５ａには、携行時保持部４の棒材が当接する垂直面５ｂが係合部５に連続して形成され、該垂直面５ｂに、背板２の係合部５を座板１の着座時保持部３に嵌入したときに座板１の座面１ａに当接する角度で傾斜されている傾斜面５ｃが連続して形成されている。
【００１８】
また、座板１と背板２には、これら両板１、２を携行姿勢とした場合に当該座板１と背板２を貫通する手提げ部位を形成する同一の長さと幅の手提げ形成孔６、７が夫々形成されている。すなわち、座板１の手提げ形成孔６は、座板１の着座時保持部３と携行時保持部４が設けられた辺に対向する辺に沿って穿設され、背板２の手提げ形成孔７は、背板２の係合部５が設けられた辺に対向する辺に沿って穿設されており、背板２の係合部５を座板１の携行時保持部４に嵌入させて座板１と背板２を重ね合わせて携行姿勢とした場合に、各手提げ形成孔６、７が互いに重なる位置に形成されている。また、手提げ形成孔６（従って手提げ形成孔７も）は、座板１の中心軸ｏに対して携行時保持部４と対称になる位置に当該携行時保持部４を形成する棒材を収容可能な大きさを有して形成されている。詳述すると、手提げ形成孔６、７の長尺方向の中心軸は、座板１又は背板２の側縁からの距離が、座板１の側縁からの携行時保持部４を形成する棒材の中心軸の距離と同一になる位置に形成されている。
【００１９】
上記構成の座椅子において、該座椅子を使用する場合には、着座せんとする所定位置に座板１を配置した状態で、背板２の係合部５を座板１の着座時保持部３の溝に嵌入させる。着座時保持部３の溝は傾斜して形成されており、係合部５を着座時保持部３の溝に丁度嵌入させるだけで、背板２が座板１の座面１ａの法線ｎに対して上方が外側に傾斜させられ、背もたれ面２ａと座面１ａとがなす角度が鈍角の着座姿勢になる。これによって、座面１ａに着座する使用者は楽に背もたれ面２ａにもたれかかることができる。
【００２０】
一方、上記構成の座椅子は、使用しない場合、分解して収納したり携行したりすることができる。すなわち、座椅子を携行する場合には、使用状態において、背板２の係合部５を座板１の携行時保持部３から離脱させ、背板２を座板１から引き抜く。ついで、引き抜いた背板２の係合部５を座板１の携行時保持部４に嵌入させ、係合部５を携行時保持部４の開口４ａに十分に入り込ませると、背板２と座板１が丁度隙間なく重なった状態になる。この状態で、座板１と背板２の手提げ形成孔６、７が丁度重なって手提げを形成する。その重なった手提げ形成孔６、７による手提げを手で把持して、座板１と背板２を重なり合った状態を保持した状態で携行することができる。
【００２１】
このように、本実施形態に係る座椅子では、座板１と背板２とが分解可能であって、これらを組み立てることにより着座姿勢と携行姿勢とに設定可能であり、着座姿勢と携行姿勢との間で座板と背板とを開閉させるヒンジ機構が不要となる。また、携行姿勢では、座板１と背板２とが重なり、さらにこれら両板１、２に形成されている手提げ形成孔６、７が連結されて手提げが形成されるため、当該手提げを把持することで両板１、２を一度に把持することができる。この結果、携行状態においては、座板１と背板２とは、背板２の係合部５が携行時保持部４に保持されると共に手提げ形成孔６、７を把持することによって座板１と背板２とが同時に把持されることとなり、２箇所でこれら両板１、２が連結され、これら両板１、２を一体化させた状態で携行することができるものとなる。
【００２２】
また、本実施形態の座椅子によれば、図６に示すように、複数の座椅子をまとめて積み重ねてコンパクトな状態にして収納することができる。すなわち、先ず、最初の座椅子は上述のように座板１を下側に背板２を上側にして横置きにする。この状態では、座板１の携行時保持部４の棒材が背板２の上面より上方に突出しているが、手提げ形成孔６は、座板１の中心軸ｏに対して携行時保持部４と対称になる位置に携行時保持部４を収容可能な大きさを有して形成されているので、当該携行姿勢とした既収納の座椅子にさらに携行姿勢とした別の座椅子を重ねる場合には、既収納の座椅子の携行時保持部４（突出している棒材）が別の座椅子の手提げ形成孔６に嵌入するように当該別の座椅子の座板１を前後逆にして既収納の座椅子の背板２の上に重ね、当該別の座椅子の座板１の携行時保持部４に係合部５を嵌入して背板２を重ね、順次同様にして交互に向きを逆にして座板１と背板２を重ねていく。このようにすると、下方の座椅子の携行時保持部４が当該座椅子の上方に位置することとなる座椅子の座板１の手提げ形成孔６に収容されることで、これらの複数の座椅子を隙間なく、また、左右のずれなく重ねることができ、これによっても収納時の省スペース化を図ることができる。
【００２３】
尚、上記実施形態においては、背板２及び座板１を中実の板材により構成したが、携行を考慮すると、できるだけ軽量であることが好ましい反面、十分な強度を有している必要がある。かかる要求を充足するために、例えば枠組みを堅牢な木材等によって形成し、その他の部分を開口又は中空にするか、あるいはペーパーハニカムのような軽量素材を特に背板については使用してもよい。また、着座姿勢での座板１に対する背板２の角度は適宜設定可能であり、直角でも構わない。
また、図７及び図８に示す如く、手提げ形成孔６、７を携行時保持部４たる棒材と中心軸Ｘを介して対称となる位置からずらした位置に設ける構成も採用可能である。
【符号の説明】
【００２４】
１            座板
１ａ          座面
２            背板
２ａ          背もたれ面
３            着座時保持部
４            携行時保持部
４ａ          開口
５            係合部
５ａ          肩部
５ｂ          垂直面
５ｃ          傾斜面
６，７        手提げ形成孔
ｌ            長さ
ｍ            幅
ｔ１          座板の厚さ
ｔ２          背板の厚さ
ｎ            法線
α            角度
ｃ            溝の中心軸
ｏ            座板の中心軸
【図１】
2010264102.tif 000003
【図２】
2010264102.tif 000004
【図３】
2010264102.tif 000005
【図４】
2010264102.tif 000006
【図５】
2010264102.tif 000007
【図６】
2010264102.tif 000008
【図７】
2010264102.tif 000009
【図８】
2010264102.tif 000010